(57)【要約】      （修正有）【課題】工期を大幅に短縮し、加工コストを激減する壁パネルの取付構造およびパネル取付金具を提供する。【解決手段】ウェブＣの両端に第１、２張出材Ｄ、Ｅを有する断面がＨ形状の支持フレームＡが水平方向に所定間隔を隔てて設置され、この複数の隣接するパネル支持フレームＡ、Ａ間に配置される壁パネルＢと、パネル支持フレームＡの第２張出材Ｅと壁パネルＢの一側端部Ｂａとの間にパネル支持フレームＡの縦長方向に沿って配置されるパネルＢの取付構造において、パネル取付金具１は金属の弾性復元作用を奏する金属薄材からなり、ウェブ２と、このウェブ２の一端縁に略直角に折曲連接させた第１フランジ３と、ウェブ２の他端縁に第１フランジ３と同方向に略直角に折曲連接させた第２フランジ４と、を有する断面形状に形成される。【選択図】図１
2014020193.tif 000002
【特許請求の範囲】
【請求項１】
ウェブＣの両端に第１、２張出材Ｄ、Ｅを有する断面がＨ形状の支持フレームＡが水平方向に所定間隔を隔てて設置され、この複数の隣接するパネル支持フレームＡ、Ａ間に配置される壁パネルＢと、パネル支持フレームＡの第２張出材Ｅと壁パネルＢの一側端部Ｂａとの間にパネル支持フレームＡの縦長方向に沿って配置されるパネルＢの取付構造において、
金属の弾性復元作用を奏する金属薄材からなり、ウェブ２と、このウェブ２の一端縁に略直角に折曲連接させた第１フランジ３と、ウェブ２の他端縁に第１フランジ３と同方向に略直角に折曲連接させた第２フランジ４と、を有する断面形状に形成されてなるパネル取付金具１であって、
第１フランジ３の突出端縁３ａは外側に折返し、
取付前におけるパネル取付金具１の第１フランジ３の突出端縁３ａと第２フランジ４との間の間隔Ｈは、パネル支持フレームＡ内に壁パネルＢをこれの一側端部Ｂａの外面が第１張出材Ｄの内面に接触するように納めた場合、壁パネルＢの一側端部Ｂａ内面と第２張出材Ｅ内面との間の間隔Ｗより大きくなるように設定されていることを特徴とする壁パネルの取付構造。
【請求項２】
パネル取付金具１の構造を、金属の弾性復元作用をもたらす弾性を有する金属薄材からなり、ウェブ２と、このウェブ２の一端縁に下方に向けて傾斜連接させた第１フランジ折返６と、ウェブ２の他端縁に第１フランジ折返６と同方向側に、上方に向けて傾斜連接させた第２フランジ折返７と、さらに第１フランジ折返６の一端縁に略鋭角に折曲連接させた第１フランジ３と、第２フランジ折返７の一端縁に略鋭角に折曲連接させた第２フランジ４を有する断面略Ｗ字型形状に形成された構造とし、
第１フランジ３の突出端縁３ａは外側に折返し、
取付前におけるパネル取付金具１の第１フランジ３の突出端縁３ａと第２フランジ４との間の間隔Ｈは、パネル支持フレームＡ内に壁パネルＢをこれの一側端部Ｂａの外面が第１張出材Ｄの内面に接触するように納めた場合、壁パネルＢの一側端部Ｂａ内面と第２張出材Ｅ内面間の寸法Ｗより大きくなるように設定されていることを特徴とする請求項１記載の壁パネルの取付構造。
【請求項３】
パネル支持フレームＡの第２張出材Ｅの端部に金具５を取付けることを特徴とする請求項１または請求項２記載の壁パネルの取付構造。
【請求項４】
ウェブＣの両端に第１、２張出材Ｄ、Ｅを有する断面がＨ形状の支持フレームＡが水平方向に所定間隔を隔てて設置され、この複数の隣接するパネル支持フレームＡ、Ａ間に配置される壁パネルＢと、パネル支持フレームＡの第２張出材Ｅと壁パネルＢの一側端部Ｂａとの間にパネル支持フレームＡの縦長方向に沿って配置されるものであって、
弾性を有する金属薄板からなり、ウェブ２と、このウェブ２の一端縁に略直角に折曲連接させた第１フランジ３と、ウェブ２の他端縁に第１フランジ３と同方向側に、略直角に折曲連接させた第２フランジ４とを有する断面形状に形成され、
第１フランジ３の突出端縁３ａは外側に折り返し、
取付前における第１フランジ３の突出端縁３ａと第２フランジ４との間の間隔Ｈは、パネル支持フレームＡ内に壁パネルＢをこれの一側端部Ｂａの外面が第１張出材Ｄの内面に接触するように納めた場合、壁パネルＢの一側端部Ｂａ内面と第２フランジＥ内面との間の間隔Ｗより大きくなるように設定されていることを特徴とする壁パネルの取付金具。
【請求項５】
パネル取付金具の構造を、弾性を有する金属薄板からなり、ウェブ２と、このウェブ２の一端縁に下方に向けて傾斜連接させた第１フランジ折返６と、ウェブ２の他端縁に第１フランジ折返６と同方向側に、上方に向けて傾斜連接させた第２フランジ折返７と、さらに第１フランジ折返６の一端縁に略鋭角に折曲連接させた第１フランジ３と、第２フランジ折返７の一端縁に略鋭角に折曲連接させた第２フランジ４を有する断面略Ｗ字型形状に形成された構造とし、
第１フランジ３の突出端縁３ａは外側に折返し、
取付前におけるパネル取付金具１の第１フランジ３の突出端縁３ａと第２フランジ４との間の間隔Ｈは、パネル支持フレームＡ内に壁パネルＢをこれの一側端部Ｂａの外面が第１張出材Ｄの内面に接触するように納めた場合、壁パネルＢの一側端部Ｂａ内面と第２張出材Ｅ内面間の寸法Ｗより大きくなるように設定されていることを特徴とする請求項５記載の壁パネルの取付金具。
【発明の詳細な説明】
【技術分野】
【０００１】  この発明は、立体駐車場などの建物の手摺パネル等の壁パネルの取付構造およびパネル取付金具に関する。
【背景技術】
【０００２】  従来、この種の壁パネルの取付構造としては、図７に示すように、パネル取付金具（２２）が弾性を有する金属板材によりパネル支持フレーム（２０）のウェブ（２３）にボルトを貫通させないで壁パネル（２１）を取り付ける構造のものであった（特許文献１参照）。
また、図８に示すように、パネル支持フレーム（３０）のウェブ（３１）にボルト（３７）を貫通させて壁パネル（３６）を取り付けるものもあった。【０００３】  これらによれば、壁パネルの取付時に外部足場が不要となり、建物内部から安全に取付作業を行うことができる。さらに、弾性を有する金属板材を用いることにより、パネル支持フレームへのボルト通し穴加工を省略でき、工期を大幅に短縮することができる。
【先行技術文献】
【特許文献】
【０００４】
【特許文献１】特開２００７−２５５０５４号公報
【発明の概要】
【発明が解決しようとする課題】
【０００５】  しかしながら、パネル取付金具の断面形状が複雑であるため取付金具の加工が煩雑となるという問題があった。
セルフドリルビスで取付金具を固定する必要があるため現場での施工手間が発生することが問題であった。
さらに、ビスで固定する際に手が届かない部位が発生することがあり、安定した取付けが出来ないこともあった。
【課題を解決するための手段】
【０００６】  この発明は、このような問題を解決するためになされたものであり、その目的とするところは、壁パネルの一側端部をパネル取付金具をもって固定する壁パネル取付構造において、断面Ｈ形状のパネル支持フレームに対し、簡易な形状の取付金具を用いることにより、工期を大幅に短縮することができ、簡易な形状の取付金具により、加工コストを激減することにある。
さらに、支持フレームのフランジの端部から取付金具の飛出しを防ぐ金具を取付け、セルフドリルビスで施工できないところも常に安定かつ確実強固な取付状態を確保することができる壁パネルの取付構造および取付金具を提供することにある。
【発明の効果】
【０００７】  この発明は、壁パネルの一側端部をパネル取付金具をもって固定する壁パネル取付構造において、断面Ｈ形状のパネル支持フレームに対し、簡易な形状の取付金具を用いることにより、工期を大幅に短縮することができ、簡易な形状の取付金具により、加工コストを激減することができる。
さらに、支持フレームのフランジの端部から取付金具の飛出しを防ぐ金具を取付けることにより、現場作業となるビス止めが必要なくなり現場コストが軽減でき、かつ常に安定かつ確実強固な取付状態を確保することができる。
【図面の簡単な説明】
【０００８】
【図１】本発明の一実施例を示す壁パネルの取付構造の断面図である。
【図２】パネル取付金具の断面図である。
【図３】パネル取付金具の立体図である。
【図４】本発明の別の実施例を示す壁パネルの取付構造の断面図である。
【図５】同、パネル取付金具の断面図である。
【図６】同、パネル取付金具の立体図である。
【図７】従来例の壁パネル取付構造の断面図である。
【図８】他の従来例の壁パネル取付構造の断面図である。
【発明を実施するための形態】
【０００９】    断面Ｈ形状のパネル支持フレームに対し、薄い鋼板（例えば、０．６ｍｍ厚）など弾性を有する金属板材からなり、ウェブ２と、このウェブ２の一端縁に略直角に折曲連接させた第１フランジ３と、ウェブ２の他端縁に第１フランジ３と同方向側に、略直角に折曲連接させた第２フランジ４と、を有する断面略コ字型形状に形成された取付金具、またはウェブ２と、このウェブ２の一端縁に下方に向けて傾斜連接させた第１フランジ折返６と、ウェブ２の他端縁に第１フランジ折返６と同方向側に、上方に向けて傾斜連接させた第２フランジ折返７と、さらに第１フランジ折返６の一端縁に略鋭角に折曲連接させた第１フランジ３と、第２フランジ折返７の一端縁に略鋭角に折曲連接させた第２フランジ４を有する断面略Ｗ字型形状に形成された取付金具により実現した。
なお、第１フランジ３の突出端縁３ａは外側に折り返してある。
取付前におけるパネル金具１の第１フランジ３の突出端縁３ａと第２フランジ４との間隔Ｈ（図２参照）は、パネル支持フレームＡ内に壁パネルＢをこれの一側端部Ｂａの外面が第１フランジ３の内面に接触するように納めた場合、壁パネル２の一側端部Ｂａ内面と第２フランジ４内面との間隔Ｗ（図１参照）より大きくなるように設定されている。
【実施例１】
【００１０】  この発明の一実施形態を、図１、２、３に示す。
弾性復元作用を奏する形状の取付金具を用いることに特徴を有するものである。【００１１】  本例を、図１、２、３を参照して説明する。
ウェブＣの両端に第１、２張出材Ｄ、Ｅを有する断面Ｈ形状の支持フレームＡが水平方向に所定の間隔を隔てて設置され、この複数の隣接するパネル支持フレームＡ、Ａ間に配置される壁パネルＢと、パネル支持フレームＡの第２張出材Ｅと壁パネルＢの一側端部Ｂａと、の間に、パネル支持フレームＡの縦長方向に沿って配置される壁パネルＢの取付金具１である。【００１２】  本例の取付金具１は、薄い鋼板（例えば、０．６ｍｍ厚）など弾性を有する金属板材からなり、図２に示すようにウェブ２と、このウェブ２の一端縁に略直角に折曲連接させた第１フランジ３と、ウェブ２の他端縁に第１フランジ３と同方向に略直角に折曲連接させた第２フランジ４と、を有する断面略コ字型形状に形成されている。【００１３】  なお、第１フランジ３の突出端縁３ａは外側に折り返してある。
取付前におけるパネル金具１の第１フランジ３の突出端縁３ａと第２フランジ４との間の間隔Ｈ（図２参照）は、パネル支持フレームＡ内に壁パネルＢをその一側端部Ｂａの外面が第１張出材Ｄの内面に接触するように納めた場合、壁パネルＢの一側端部Ｂａ内面と第２張出材Ｅ内面間の寸法Ｗ（図１参照）より大きくなるように設定されている。【００１４】  壁パネルＢの一側端部Ｂａの内面に弾性当接する第１フランジ３と、パネル支持フレームＡの第２張出材Ｅの内面に弾性当接する第２フランジ４とを有するように形成されている。【００１５】  この発明により、パネル支持フレームＡの第２張出材Ｅと壁パネルＢの一側端部との間でパネル取付金具１が、そのウェブ２と第１フランジ３およびウェブ２と第２フランジ４との折り畳み角度を縮小するように弾性変形し、この弾性復元作用により、パネル取付金具１の第２フランジ４がパネル支持フレームＡの第２張出材Ｅに対し強く突っ張るとともに、パネル取付金具１の第１フランジ３が壁パネルＢの一側端部Ｂａをパネル支持フレームＡの第１張出材Ｄの内面に強く押し付け固定する取付状態が得られる。
したがって、常に安定かつ確実強固な取付状態を確保できる。【００１６】  パネル取付金具１の弾性復元作用により、第２フランジ４がパネル支持フレームＡの第２張出材Ｅに対し強く突っ張るとともに、パネル取付金具１の第１フランジ３が壁パネルＢの一側端部Ｂａをパネル支持フレームＡの第１張出材Ｄの内面に強く押し付け固定することにより、壁パネルが外方から風荷重（正圧）を受けて内方へ押し動かされることがあっても、第１フランジ３の反発力で押し返すため、壁パネルはパネル支持フレームＡ内でガタつくことがない。【００１７】  また、金具５をパネル支持フレームＡの第２張出材Ｅに取り付けることにより、パネル取付金具１がパネル支持フレームＡの第２張出材Ｅと壁パネルＢの一側端部Ｂａとの間から外方へずれ動くことを防止することができる。
【実施例２】
【００１８】  また、図４、５、６に別の例が示してある。
本例も、実施例１同様、弾性復元作用を奏する形状の取付金具を用いることに特徴を有するものである。
本例は、ウェブＣの両端に第１、２フランジＤ、Ｅを有する断面がＨ形状の支持フレームＡが水平方向に所定の間隔を隔てて設置され、この複数の隣接するパネル支持フレームＡ、Ａ間に配置される壁パネルＢと、パネル支持フレームＡの第２フランジＥと壁パネルＢの一側端部Ｂａとの間にパネル支持フレームＡの縦長方向に沿って配置されるパネルＢの取付金具１である。【００１９】  パネル取付金具１は、薄い鋼板（例えば、０．６ｍｍ厚）など弾性を有する金属板材からなり、図５に示すようにウェブ２と、このウェブ２の一端縁に下方に向けて傾斜連接させた第１フランジ折返６と、ウェブ２の他端縁に第１フランジ折返６と同方向側に、上方に向けて傾斜連接させた第２フランジ折返７と、さらに第１フランジ折返６の一端縁に略鋭角に折曲連接させた第１フランジ３と、第２フランジ折返７の一端縁に略鋭角に折曲連接させた第２フランジ４を有する断面略Ｗ字型形状に形成されている。【００２０】  なお、第１フランジ３の突出端縁３ａは外側に折り返してある。
取付前におけるパネル取付金具１の第１フランジ３の突出端縁３ａと第２フランジ４との間の間隔Ｈ（図５参照）は、パネル支持フレームＡ内に壁パネルＢをこれの一側端部Ｂａの外面が第１フランジＤの内面に接触するように納めた場合、壁パネルＢの一側端部Ｂａ内面と第２フランジＥ内面との間の間隔Ｗ（図４参照）より大きくなるように設定されている。
壁パネルＢの一側端部Ｂａの内面に弾性当接する第１フランジ３と、パネル支持フレームＡの第２フランジＥの内面に弾性当接する第２フランジ４とを有する形に形成されている。【００２１】  この発明により、パネル支持フレームＡの第２張出材Ｅと壁パネルＢの一側端部Ｂａとの間でパネル取付金具１が、そのウェブ２と第１フランジ３およびウェブ２と第２フランジ４との折り畳み角度を縮小するように弾性変形し、この弾性復元作用により、パネル取付金具１の第２フランジ４がパネル支持フレームＡの第２張出材Ｅに対し強く突っ張るとともに、パネル取付金具１の第１フランジ３が壁パネルＢの一側端部Ｂａをパネル支持フレームＡの第１張出材Ｄの内面に強く押し付け固定する取付状態が得られる。
したがって常に安定かつ確実強固な取付状態を確保できる。【００２２】  パネル取付金具１の弾性復元作用により、第２フランジ４がパネル支持フレームＡの第２張出材Ｅに対し強く突っ張るとともに、パネル取付金具１の第１フランジ３が壁パネルＢの一側端部Ｂａをパネル支持フレームＡの第１張出材Ｄの内面に強く押し付け固定することにより、壁パネルＢが外方から風荷重（正圧）を受けて内方へ押し動かされることがあっても、第１フランジ３の反発力で押し返すため、壁パネルＢはパネル支持フレームＡ内でガタつくことがない。【００２２】  また、金具５をパネル支持フレームＡの第２張出材Ｅに取り付けることにより、パネル取付金具１がパネル支持フレームＡの第２張出材Ｅと壁パネルＢの一側端部Ｂａとの間から外方へずれ動くことを防止することができる。【００２３】  以上本発明の実施例について説明したが、本発明はこのような実施例に何等限定されるものでなく、本発明の要旨を逸脱しない範囲において種々なる態様で実施し得ることはもちろんである。
【産業上の利用可能性】
【００２４】  この発明は、立体駐車場用に開発したものであるが、各種構築物の外壁、仕切壁、間仕切り等の用途にも適用できる。
【符号の説明】
【００２５】  １  パネル取付金具
２  パネル取付金具のウェブ
３  パネル取付金具の第１フランジ
４  パネル取付金具の第２フランジ
５  金具
６．パネル取付金具の第１フランジ折返
７．パネル取付金具の第２フランジ折返
Ａ  パネル支持フレーム
Ｂ．壁パネル
Ｃ  パネル支持フレームＡのウェブ
Ｄ  パネル支持フレームＡ第１張出材
Ｅ  パネル支持フレームＡの第２張出材
【図１】
2014020193.tif 000003
【図２】
2014020193.tif 000004
【図３】
2014020193.tif 000005
【図４】
2014020193.tif 000006
【図５】
2014020193.tif 000007
【図６】
2014020193.tif 000008
【図７】
2014020193.tif 000009
【図８】
2014020193.tif 000010